(57)【要約】【課題】形状を大きくすることなく、着脱時の操作性を改善することができる変換アダプタ、ＡＣアダプタ及びバッテリチャージャを提供する。【解決手段】ＡＣアダプタまたはバッテリチャージャ１００は、第１のプラグ刃１４を跨いで形成された一対の係止部１３ａ、１３ｂを有し、第１のプラグ刃１４が本体ハウジング１１、１２から起立する状態で、その延伸方向と直交する方向に移動可能な変換アダプタ用係止部材１３を有する。【選択図】図２
2008153031.tif 000002
【特許請求の範囲】
【請求項１】
ＡＣアダプタまたはバッテリチャージャに装着可能な変換アダプタにおいて、
前記ＡＣアダプタ、または前記バッテリチャージャに形成される一対のプラグ刃が挿入される一対の開口と、
前記ＡＣアダプタまたは前記バッテリチャージャに取り付けられたときに、前記ＡＣアダプタまたは前記バッテリチャージャに係止される一対の被係止部とを有し、
前記一対の被係止部は、前記一対の被係止部を結ぶ線が前記一対の開口を結ぶ線と交差するような位置で、前記ＡＣアダプタまたは前記バッテリチャージャへの取り付け面から延出して形成されることを特徴とする変換アダプタ
【請求項２】
前記ＡＣアダプタまたは前記バッテリチャージャに取り付けられたときに、前記ＡＣアダプタまたはバッテリチャージャに形成されるプラグ刃を収納するための凹部に係合する被係合部を形成し、前記被係合部は前記一対の被係止部の一方と連続して形成することを特徴とする請求項１に記載の変換アダプタ。
【請求項３】
前記一対の被係止部の先端に、斜面が形成されていることを特徴とする請求項１または２に記載の変換アダプタ。
【請求項４】
形状の異なるコンセントに対応するための変換アダプタを装着可能なＡＣアダプタにおいて、
一対のプラグ刃と、
前記変換アダプタが装着されたときに、前記変換アダプタを係止する一対の係止部とを有し、
前記一対の係止部は、前記一対の係止部を結ぶ線が前記一対のプラグ刃を結ぶ線と交差するような位置形成されることを特徴とするＡＣアダプタ。
【請求項５】
前記一対の係止部は、使用者が操作する操作部が形成される係止部材に形成され、前記操作部を操作することで、前記一対の係止部は前記変換アダプタを係止する位置と係止を解除する位置とに変位することを特徴とする請求項４に記載のＡＣアダプタ。
【請求項６】
前記係止部材には、前記一対の係止部が前記変換アダプタの係止を解除する位置に変位したときに、弾性変形する弾性変形部が形成されることを特徴とする請求項５記載のＡＣアダプタ。
【請求項７】
前記係止部材には、前記一対の係止部が前記変換アダプタの係止を解除する位置に変位したときに、前記変換アダプタの装着方向に移動可能となることを特徴とする請求項５または６に記載のＡＣアダプタ。
【請求項８】
形状の異なるコンセントに対応するための変換アダプタを装着可能なバッテリチャージャにおいて、
一対のプラグ刃と、
前記変換アダプタが装着されたときに、前記変換アダプタを係止する一対の係止部とを有し、
前記一対の係止部は、前記一対の係止部を結ぶ線が前記一対のプラグ刃を結ぶ線と交差するような位置形成されることを特徴とするバッテリチャージャ。
【請求項９】
前記一対の係止部は、使用者が操作する操作部が形成される係止部材に形成され、前記操作部を操作することで、前記一対の係止部は前記変換アダプタを係止する位置と係止を解除する位置とに変位することを特徴とする請求項８に記載のバッテリチャージャ。
【請求項１０】
前記係止部材には、前記一対の係止部が前記変換アダプタの係止を解除する位置に変位したときに、弾性変形する弾性変形部が形成されることを特徴とする請求項９記載のバッテリチャージャ。
【請求項１１】
前記係止部材には、前記一対の係止部が前記変換アダプタの係止を解除する位置に変位したときに、前記変換アダプタの装着方向に移動可能となることを特徴とする請求項９または１０に記載のバッテリチャージャ。
【発明の詳細な説明】
【技術分野】
【０００１】
本発明は、ＡＣアダプタまたはバッテリチャージャに装着して使用する変換アダプタ、ＡＣアダプタ及びバッテリチャージャに関する。
【背景技術】
【０００２】
従来、ＡＣアダプタは電子機器への電源供給手段として用いられ、また、バッテリチャージャは電子機器で使用するバッテリパックを充電する機器として用いられている。
【０００３】
ＡＣアダプタとバッテリチャージャは、商用電源から電源供給を受けるが、供給手段として、プラグによるものとインレットによるものがある。
【０００４】
以下、ＡＣアダプタとバッテリチャージャは、共にプラグ付きを前提とする。
【０００５】
ＡＣアダプタは、本体ケースと、本体ケースから突出するように設けられた一対のプラグと、本体ケース内に収納された回路基板と、本体ケースから延出し、接続される電子機器に電源供給を行うためのＤＣケーブルとからなる。
【０００６】
一方、バッテリチャージャは、本体ケースと、本体ケースから突出するように設けられた一対のプラグと、本体ケース内に収納された回路基板と、本体ケースに設けられたバッテリパック収納用凹部とからなる。
【０００７】
一対のプラグは、商用電源である家庭用電源コンセントに差し込み、交流電源をＡＣアダプタやバッテリチャージャ内の回路基板に供給する。回路基板は、家庭用電源コンセントから供給された交流電源を、所定電圧の直流電源に変換する。
【０００８】
回路基板によって変換された直流電源は、ＡＣアダプタにおいては、ＤＣケーブルを介して電子機器に供給され、また、バッテリチャージャにおいては、回路基板に設けた充電用端子を介してバッテリパックに供給される。
【０００９】
近年、海外旅行や海外出張は特別のことではなくなり、渡航の際にデジタルカメラやデジタルビデオカメラ、更には携帯電話といった電子機器を携帯していく渡航者は多い。即ち、上記電子機器専用のＡＣアダプタやバッテリチャージャも例外ではない。
【００１０】
ところで、コンセントの規格、つまり、コンセントの形状や電圧は、世界的には統一されていないため、例えば、日本で使用可能なＡＣアダプタやバッテリチャージャは、海外でそのまま使用することができるとは限らない。
【００１１】
このため、コンセントの規格が異なる海外で上記電子機器専用のＡＣアダプタやバッテリチャージャを使用する場合には、その国の規格に対応したＡＣアダプタやバッテリチャージャを用意する必要がある。
【００１２】
しかしながら、国内及び海外それぞれの規格に対応したＡＣアダプタやバッテリチャージャを用意するのは非常に煩雑であるばかりか、使用者にとって経済的な負担が大きい。
【００１３】
そこで、上記問題点を解決するため、ＡＣアダプタやバッテリチャージャに設けられたプラグとは異なる形状のプラグを有する変換アダプタをＡＣアダプタやバッテリチャージャに装着可能にしたものが提案されている。
【００１４】
しかしながら、上記変換アダプタは、ＡＣアダプタやバッテリチャージャのプラグに装着するだけの簡単な構成であっため、装着力が弱く、コンセントから外す際に、変換アダプタがＡＣアダプタやバッテリチャージャから外れて、電源コンセントに残ってしまうという問題点があった。
【００１５】
この問題点に対し、特許文献１には、ＡＣアダプタやバッテリチャージャに対して確実に装着し得る「ＡＣアダプタ及びアダプタ変換プラグ」が提案されている。具体的には、本体ケースの側面に、Ｌ字状の係合溝を設け、このＬ字状の係合溝に、変換アダプタに設けた係合溝用突起を係合させるというものである。
【００１６】
しかしながら、上記特許文献１の技術の場合、変換アダプタを本体ケース側面に設けたＬ字状の係合溝に沿って動作させるため、装着時の操作方向が２方向となり、使用者は煩雑な操作を強いられている。
【００１７】
一方、特許文献２には、装着時の操作方向を一方向にしたものとして、「ＰＯＷＥＲＴＲＡＮＳＦＯＲＭＥＲ」が提案されている。具体的には、本体ハウジングに凹部を設け、この凹部に変換アダプタのハウジングの一部を挿入することで、装着時の操作方向を一方向にしている。
【００１８】
また、変換アダプタの挿入方向が、変換アダプタに設けられたプラグの延伸方向と直交する方向なので、本体ハウジングをコンセントから取り外す際、変換アダプタがＡＣアダプタから外れてしまうことがないようになっている。
【００１９】
尚、ここで、回転プラグ方式のＡＣアダプタとは、ＡＣアダプタを使用する際に、プラグをＡＣアダプタの本体ハウジングから回転させながら引き起こす機構を有したものをいう。
【特許文献１】特開２００２−２６０７９４号公報
【特許文献２】ＵＳＰ第５６１３８６３号明細書
【発明の開示】
【発明が解決しようとする課題】
【００２０】
上記特許文献２では、着脱時における変換アダプタの操作方向を一方向にすることで、着脱時の操作性は改善している。
【００２１】
しかしながら、変換アダプタのハウジングの大部分をＡＣアダプタの本体ハウジングに設けた凹部に挿入するよう構成しているため、本体ハウジングを大きくしなければならないという問題があった。
【００２２】
また、プラグ刃を収納した状態で変換アダプタを装着する構成のため、プラグ刃は本体ハウジング内に収納された回路基板と常に導通していることが必要となり、導通用端子部材を複雑な形状で作成する必要があり、コストアップの要因となる虞があった。
【００２３】
さらに、変換アダプタを本体ハウジングに係止するための係止部が簡素な構成のため、変換アダプタを本体ハウジングに繰返し着脱すると破損する虞があった。
【００２４】
本発明の目的は、形状を大きくすることなく、着脱時の操作性を改善することができる変換アダプタ、ＡＣアダプタ及びバッテリチャージャを提供することにある。
【課題を解決するための手段】
【００２５】
上記目的を達成するために、請求項１記載の変換アダプタは、ＡＣアダプタまたはバッテリチャージャに装着可能な変換アダプタにおいて、前記ＡＣアダプタ、または前記バッテリチャージャに形成される一対のプラグ刃が挿入される一対の開口と、前記ＡＣアダプタまたは前記バッテリチャージャに取り付けられたときに、前記ＡＣアダプタまたは前記バッテリチャージャに係止される一対の被係止部とを有し、前記一対の被係止部は、前記一対の被係止部を結ぶ線が前記一対の開口を結ぶ線と交差するような位置で、前記ＡＣアダプタまたは前記バッテリチャージャへの取り付け面から延出して形成されることを特徴とする。
【００２６】
請求項４記載のＡＣアダプタは、形状の異なるコンセントに対応するための変換アダプタを装着可能なＡＣアダプタにおいて、一対のプラグ刃と、前記変換アダプタが装着されたときに、前記変換アダプタを係止する一対の係止部とを有し、前記一対の係止部を、前記一対の係止部を結ぶ線が前記一対のプラグ刃を結ぶ線と交差するような位置に形成することを特徴とする。
【００２７】
請求項８記載のバッテリチャージャは、形状の異なるコンセントに対応するための変換アダプタを装着可能なバッテリチャージャにおいて、一対のプラグ刃と、前記変換アダプタが装着されたときに、前記変換アダプタを係止する一対の係止部とを有し、前記一対の係止部を、前記一対の係止部を結ぶ線が前記一対のプラグ刃を結ぶ線と交差するような位置に形成することを特徴とする。
【発明の効果】
【００２８】
変換アダプタの一対の被係止部を、一対の被係止部を結ぶ線が一対のプラグ刃が挿入される一対の開口を結ぶ線と交差するような位置に形成して、ＡＣアダプタまたはバッテリーチャージャの一対の係止部を、一対の係止部を結ぶ線が一対のプラグ刃を結ぶ線と交差するような位置に形成することで、それぞれの形状を大きくすることなく、かつ着脱時の操作性を改善することができる。
【発明を実施するための最良の形態】
【００２９】
以下、本発明の実施の形態を図面を参照しながら詳細に説明する。
【００３０】
尚、以下に説明する実施の形態では、変換アダプタを装着する本体として、バッテリチャージャを取り上げているが、ＡＣアダプタであっても出力形態が充電からＤＣ出力となるだけで、ＡＣアダプタとの機械的な関係は同じである。
【００３１】
図１は、本発明の第１実施の形態に係る変換アダプタとバッテリチャージャの全体斜視図である。
【００３２】
図１において、回転式プラグインタイプのバッテリチャージャ１００と、主に英国等で使用されているプラグ形状を有する変換アダプタ２００を示す。
【００３３】
図２は、図１におけるバッテリチャージャの分解斜視図である。また、図３は、図２における本体下ケースの底面図、図４は、図２おける本体上ケースと回路基板の斜視図である。
【００３４】
まず、図１乃至図４を用いて、バッテリチャージャ１００の構成を説明する。
【００３５】
バッテリチャージャ１００は、本体下ケース１１、本体上ケース１２、変換アダプタ用係止部材１３、一対のプラグ刃を有するプラグ１４、商用電源からバッテリパックを充電するための充電電流及び充電電圧を作り出す電気回路を含む回路基板１５を備える。
【００３６】
固定ビス１６は、本体下ケース１１と本体上ケース１２を固定する。本体下ケース１１は、図３に示したように、底面に、固定ビス１６が挿通する孔部を除くと、５つの開口部１１ａ、１１ｂ、１１ｃ、１１ｄ、１１ｅを有する。開口部１１ａ、１１ｂは後述する変換アダプタ用係止部材１３の係止部１３ａ、１３ｂの挿通口である。
【００３７】
また、開口部１１ｃ、１１ｄは、後述するプラグ１４のプラグ刃１４ａ、１４ｂの挿通口であり、さらに、開口部１１ｅは後述する変換アダプタ用係止部材１３の解除用突起部１３ｃの挿通口である。
【００３８】
本体上ケース１２は、図２、図４に示したように、不図示のバッテリパックを充電する時に収納する収納部１２ａを有するとともに、バッテリパックの充電状態を表示するＬＥＤ素子用ライトガイド１２ｂを有している。
また、収納部１２ａは、３つの開口部１２１を有しており、後述する回路基板１５に実装された３つの充電用端子部１５１を挿通する。
【００３９】
さらに、本体上ケース１２の側面には、凹部１２ｃ、１２ｄを設けており、商用電源からバッテリチャージャ１００が電源供給を受ける際に、コンセントへの着脱の操作性を向上している。
【００４０】
図５は、図２における変換アダプタ用係止部材の正面図、図６は、図２における変換アダプタ用係止部材の断面図である。
【００４１】
変換アダプタ用係止部材１３は、図５及び図６に示したように、略Ｌ字形状をした係止部１３ａ、略Ｉ字形状をした係止部１３ｂを有し、係止部１３ａ、１３ｂそれぞれの先端部は略４５度の斜面となっており、また、プラグ１４を跨ぐように形成されている。上述した斜面の角度は、４５度に限るものではなく、図６に示した−Ｚ方向の力を−Ｙ方向の分力として得られる角度であれば、何度でも構わない。
【００４２】
また、係止部１３ａ、１３ｂの幅方向の寸法は、後述する変換アダプタ２００の係止部２１ａ、２１ｂに設けた開口部２１１ａ、２１１ｂにそれぞれ嵌合するように設定されている。
【００４３】
一方、変換アダプタ用係止部材１３の下方には、解除用突起部１３ｃを設け、変換アダプタ用係止部材１３を−Ｙ方向に押し下げ易いようにしている。解除用突起部１３ｃは、後述する変換アダプタ２００をバッテリチャージャ１００から取り外す際に使用する。
【００４４】
変換アダプタ用係止部材１３は、３つの弾性変形部１３ｄ、１３ｅ、１３ｆを有し、弾性変形部１３ｄ、１３ｆは、Ｚ方向の端部が本体上ケース１２に当接し、変換アダプタ用係止部材１３を本体下ケース１１に付勢することで、Ｚ方向のガタ取りを行っている。
【００４５】
弾性変形部１３ｅは、変換アダプタ用係止部材１３が−Ｙ方向に押し下げられたときに、弾性変形して＋Ｙ方向の付勢力を発生させる。弾性変形部１３ｅは、本体下ケース１１に組み込まれた状態でのＹ方向のガタ取りを行うとともに、変換アダプタ２００をバッテリチャージャ１００に装着する際の係止力を発生する。また、本体下ケース１１との摺動部１３ｇ、１３ｈ、１３ｉ、１３ｊは、摺動抵抗を低減するために円弧状になっている。
【００４６】
プラグ１４は、図２に示したように、プラグ刃１４ａ、１４ｂと、プラグ刃１４ａ、１４ｂを支持する支持部材１４ｃからなる。プラグ刃１４ａ、１４ｂは、所定の間隔で配設されるとともに、プラグ刃１４ａ、１４ｂの突出方向とは異なる方向にそれぞれの端部を支持部材１４ｃから突出させ、プラグ１４を本体下ケース１１に対し起立させたときに、後述する接点１５ａ、１５ｂと導通する。また、支持部材１４ｃは、熱可塑性の樹脂からなり、幅方向両端側に回転軸１４１を有する。
【００４７】
回転軸１４１は、プラグ１４を本体下ケース１１に対し回転可能に支持し、前述したようにプラグ１４を本体下ケース１１に対し起立した状態と倒した状態とにすることができる。言い換えると、使用状態と収納状態に態様を変更できることになる。
【００４８】
回路基板１５は、プラグ刃１４ａ、１４ｂ用の接点１５ａ、１５ｂと、充電用端子部１５１、さらにバッテリパックの充電状態を表示する不図示のＬＥＤ素子を有する。尚、回路基板１５は、商用電源から不図示のバッテリパックを充電するための充電電流及び充電電圧を作り出す電気回路を有するが、その構成に関する図示は省略する。
【００４９】
次に、上記構成によるバッテリチャージャ１００の組み立て手順に関して、簡単に説明する。
【００５０】
まず始めに、本体下ケース１１の開口部１１ｃ、１１ｄにプラグ１４のプラグ刃１４ａ、１４ｂを挿通し、配置する。次に、変換アダプタ用係止部材１３を本体下ケース１１の所定の場所に配置する。このときに、変換アダプタ用係止部材１３の弾性変形部１３ｅが本体下ケース１１に設けられた係止部を付勢するように配置する。
【００５１】
一方、本体上ケース１２に設けた不図示の回路基板用固定部に回路基板１５を固定する。プラグ１４と変換アダプタ用係止部材１３が配置された本体下ケース１１に、回路基板１５が固定された本体上ケース１２を被せ、その後、固定ビス１６で固定すれば、バッテリチャージャ１００の組み立てが完了する。
【００５２】
次に、図１、図７及び図８を用いて、変換アダプタ２００について説明する。
【００５３】
尚、本実施の形態では、変換アダプタ２００として、主に英国等で使用されているプラグ形状を有したものを用いたが、本発明を実施するにあたっては、当然これに限るものではないことは言うまでもない。
【００５４】
図７は、図１における変換アダプタのプラグ刃側からの斜視図、図８は、図１における変換アダプタの背面図である。
【００５５】
変換アダプタ２００は、係止部を有した本体下ケース２１、プラグ刃を有した本体上ケース２２、本体下ケース２１内に設けた不図示の接点を備える。
【００５６】
本体下ケース２１は、プラグ刃２２ａ、２２ｂ、２２ｃが形成された本体上ケース２２の一の端面と略平行である他の端面２１ｘを有する。
【００５７】
端面２１ｘには、２つの開口部２１ｃ、２１ｄが形成されており、変換アダプタ２００をバッテリチャージャ１００に装着したときに、プラグ刃１４ａ、１４ｂが開口部２１ｃ、２１ｄを挿通し、本体下ケース２１内に設けた不図示の接点と導通するようになっている。
【００５８】
また、端面２１ｘには、係止部２１ａ、２１ｂが形成されており、係止部２１ａは、プラグ刃２２ａの延伸方向と略平行な方向に延伸するとともに、当該延伸方向と略直交する方向に後述する開口部２１１ａを有し、さらにその先端部は略４５度の斜面となっている。
【００５９】
また、係止部２１ａは、その根元でリブ部２１２、２１３とつながって形成されている。  リブ部２１２とリブ部２１３との間の寸法ｒ（図８参照）は、本体下ケース１１の固定ビス用突起部１１３の幅Ｒ（図３参照）とほぼ同一であるので、変換アダプタ２００をバッテリチャージャ１００に装着したときに、リブ部２１２、２１３が本体下ケース１１の凹部１１２に入り込むようになっている。したがって、変換アダプタ２００をＸ方向の変位及びＺ軸周りの回転（図１参照）を規制することができる。
【００６０】
一方、係止部２１ｂは、係止部２１ａと同様に、プラグ刃２２ａの延伸方向と略平行な方向に延伸するとともに、当該延伸方向と略直交する方向に後述する開口部２１１ｂを有し、さらにその先端部は略４５度の斜面となっている。
【００６１】
係止部２１ａ、２１ｂに設けた４５度の斜面は、上記係止部１３ａ、１３ｂに設けた斜面に対応する形状となっていれば良く、斜面の角度はこれに限るものではない。
【００６２】
次に、このような係止部２１ａ、２１ｂを有する変換アダプタ２００をバッテリチャージャ１００に装着する場合の係止方法について説明する。
【００６３】
図９は、図１における変換アダプタを図１におけるバッテリチャージャに係止する様子を示す側面図である。
【００６４】
まず、プラグ１４を、図１のようにバッテリチャージャ１００に対し起立した状態にし、即ち、プラグ１４を引き起こし、商用電源であるコンセントに差し込み可能な状態にしておく。
【００６５】
次に、図９に示すように、プラグ１４のプラグ刃１４ａ、１４ｂを、ＡＣアダプタ２０の開口部２１ｃ、２１ｄに挿通しながら、変換アダプタ２００がバッテリチャージャ１００に当接するまで、変換アダプタ２００を矢印方向に徐々に近づける。
【００６６】
バッテリチャージャ１００の本体下ケース１１と変換アダプタ２００の本体下ケース２１が当接する前に、図１０に示したように、変換アダプタ用係止部材１３の係止部１３ａ、１３ｂと本体下ケース２１の係止部２１ａ、２１ｂの有する斜面がそれぞれ当接する。
【００６７】
尚、説明のため、図１０には変換アダプタ２００と変換アダプタ用係止部材１３のみ示しており、本体下ケース１１と本体上ケース１２は省略した。
【００６８】
それぞれの斜面が当接することにより、変換アダプタ用係止部材１３は、弾性変形部１３ｅを弾性変形させながら、プラグ刃１４ａ、１４ｂの延伸方向と直交する方向（図１０及び図１１の矢印方向）に押し下げられる。
【００６９】
変換アダプタ２００を、更に図９に示す矢印方向に移動させると、係止部２１ａ、２１ｂに形成された開口部２１１ａ、２１１ｂに係止部１３ａ、１３ｂが入り込み、変換アダプタ２００が変換アダプタ用係止部材１３によって完全に係止されることになる。
【００７０】
次に、バッテリチャージャ１００から変換アダプタ２００を取り外す際の各部の動きについて説明する。
【００７１】
変換アダプタ２００をバッテリチャージャ１００から取り外す際は、変換アダプタ用係止部材１３の解除用突起部１３ｃを、指を用いて図１２中の矢印方向へ押し下げる。すると、変換アダプタ用係止部材１３の係止部１３ａ、１３ｂは、係止部２１ａ、２１ｂの開口部２１１ａ、２１１ｂから退避するので、この状態で、変換アダプタ２００をバッテリチャージャ１００から互いに離反する方向に移動させればよい。上記状態を、図１３に示す。
【００７２】
以上説明したように、本実施の形態の場合、バッテリチャージャ１００に変換アダプタ用係止部材１３を設け、これに変換アダプタ２００を係止させるようにした。変換アダプタ用係止部材１３は、プラグ１４を跨ぐ２つの係止部１３ａ、１３ｂを有するとともに、バッテリチャージャ１００に設けたプラグ１４が起立した状態でのプラグ刃１４ａ、１４ｂの延伸方向と略直交する方向のみに移動可能となっている。
【００７３】
これによって、バッテリチャージャ１００の本体ケースを大きくすることなく、変換アダプタ２００を一方向からの操作で、バッテリチャージャ１００に取り付けることが可能となり、また、２つの係止部によって確実に係止することができるようになった。
【００７４】
上記第１実施の形態では、変換アダプタ用係止部材１３がプラグ刃１４ａ、１４ｂの延伸方向と略直交する方向のみに移動可能となっていた。
【００７５】
第２実施の形態では、さらに、変換アダプタ用係止部材１３をプラグ刃１４ａ、１４ｂの延伸方向と略平行な方向にも移動可能とし、変換アダプタ２００をバッテリチャージャ１００に引き込むことで、両者のガタを軽減できるようにする。
【００７６】
尚、第１実施の形態において既に説明した構成要素については、同じ符号を付し、その説明を省略する。
【００７７】
図１４は、本発明の第２の実施の形態に係るバッテリチャージャの本体下ケースの正面図である。また、図１５は、本発明の第２の実施の形態に係るバッテリチャージャの本体下ケースの断面図である。
【００７８】
本体下ケース４１は、バッテリチャージャ１００を構成するものであり、第１の実施の形態で説明した本体下ケース１１との違いは、変換アダプタ用係止部材１３が摺動する底面に摺動部４１ｇ、４１ｈ、４１ｉ、４１ｊを追加したことである。開口部４１ａ、４１ｂ、４１ｃ、４１ｄ、４１ｅは第１の実施の形態と同様である。摺動部４１ｇ、４１ｈ、４１ｉ、４１ｊは、図１５に示したように略Ｓ字形状をなしている。
【００７９】
尚、図１５、後述する図１６、図１７は、図１４に示したＡ−Ａにおける断面を示している。
【００８０】
図１６は、本体下ケース４１に変換アダプタ用係止部材１３を配置した状態を示している。
【００８１】
図１６において、変換アダプタ用係止部材１３は、第１の実施の形態で述べたように、弾性変形部１３ｄ、１３ｆによって本体下ケース４１の底面に向かって付勢される。そして、弾性変形部１３ｅによって本体下ケース４１の内壁面、つまり紙面上方向に付勢されている。
【００８２】
図１７は、上述した状態から、変換アダプタ用係止部材１３に設けた解除用突起部１３ｃを紙面下方向に突き当たるまで押し下げた状態を示す。
【００８３】
図１６及び図１７を比較してわかるように、変換アダプタ用係止部材１３は、紙面下方向への移動に伴い、紙面左方向にも移動可能である。これは、言い換えると、弾性変形部１３ｅの付勢力に従って紙面上方向に変換アダプタ用係止部材１３が移動するときは、紙面右方向の移動も伴うということである。
【００８４】
図１８及び図１９は、変換アダプタ用係止部材１３を紙面下方に移動させたときの変換アダプタ２００とバッテリチャージャ１００の係止部における関係を示したものである。
【００８５】
図１８及び図１９を比較するとわかるように、変換アダプタ用係止部材１３が紙面上方に移動することにより、変換アダプタ２００の係止部２１ａ、２１ｂが変換アダプタ用係止部材１３の係止部１３ａ、１３ｂによって、紙面右方向に移動している。
【００８６】
以上説明したように、本実施の形態の場合、変換アダプタ用係止部材１３をプラグ刃１４ａ、１４ｂの延伸方向と略直交する方向と略平行な方向に同時に移動可能とした。
【００８７】
これによって、変換アダプタ２００をバッテリチャージャ１００に引き込むことができ、変換アダプタ２００とバッテリチャージャ１００に発生するガタを軽減することができるようになった。
【図面の簡単な説明】
【００８８】
【図１】本発明の第１実施の形態に係る変換アダプタとバッテリチャージャの全体斜視図である。
【図２】図１におけるバッテリチャージャの分解斜視図である。
【図３】図２における本体下ケースの底面図である。
【図４】図２おける本体上ケースと回路基板の斜視図である。
【図５】図２における変換アダプタ用係止部材の正面図である。
【図６】図２における変換アダプタ用係止部材の断面図である。
【図７】図１における変換アダプタのプラグ刃側からの斜視図である。
【図８】図１における変換アダプタの背面図である。
【図９】図１における変換アダプタを図１におけるバッテリチャージャに係止する様子を示す側面図である。
【図１０】図１における変換アダプタと図２における変換アダプタ用係止部材の断面図である（その１）。
【図１１】図１における変換アダプタと図２における変換アダプタ用係止部材の断面図である（その２）。
【図１２】図１における変換アダプタと図２における変換アダプタ用係止部材の断面図である（その３）。
【図１３】図１における変換アダプタと図２における変換アダプタ用係止部材の断面図である（その４）。
【図１４】本発明の第２の実施の形態に係るバッテリチャージャの本体下ケースの正面図である。
【図１５】本発明の第２の実施の形態に係るバッテリチャージャの本体下ケースの断面図である。
【図１６】本発明の第２実施の形態に係るバッテリチャージャの本体下ケースと変換アダプタ用係止部材の断面図である（その１）。
【図１７】本発明の第２実施の形態に係るバッテリチャージャの本体下ケースと変換アダプタ用係止部材の断面図である（その２）。
【図１８】本発明の第２実施の形態に係る変換アダプタとバッテリチャージャの係止部における断面図である（その１）。
【図１９】本発明の第２実施の形態に係る変換アダプタとバッテリチャージャの係止部における断面図である（その２）。
【符号の説明】
【００８９】
１１  本体下ケース（本体ハウジング構成要素）
１１ａ、１１ｂ、１１ｃ、１１ｄ、１１ｅ  開口部
１２  本体上ケース（本体ハウジング構成要素）
１２ａ  収納部
１２ｂ  ライトガイド
１２ｃ、１２ｄ  凹部
１３  変換アダプタ用係止部材
１３ａ、１３ｂ  係止部
１３ｃ  解除用突起部
１３ｄ、１３ｅ、１３ｆ  弾性変形部
１３ｇ、１３ｈ、１３ｉ、１３ｊ  摺動部
１４  プラグ
１４ａ、１４ｂ  プラグ刃
１４ｃ  支持部材
１４１  回転軸
１５  回路基板
１５ａ、１５ｂ  接点
１５１  充電用端子部
１６  固定ビス
２１ａ、２１ｂ  係止部
２１ｃ、２１ｄ  開口部
２１ｘ  端面
２２  本体上ケース
２２ａ、２２ｂ、２２ｃ  プラグ刃
４１  本体下ケース
４１ａ、４１ｂ、４１ｃ、４１ｄ、４１ｅ  開口部
４１ｇ、４１ｈ、４１ｉ、４１ｊ  摺動部
１００  バッテリチャージャ
１１２  凹部
１１３  固定ビス用突起部
１２１  開口部
１５１  充電用端子
２００  変換アダプタ
２１１ａ、２１１ｂ  開口部
２１２、２１３  リブ部
【図１】
2008153031.tif 000003
【図２】
2008153031.tif 000004
【図３】
2008153031.tif 000005
【図４】
2008153031.tif 000006
【図５】
2008153031.tif 000007
【図６】
2008153031.tif 000008
【図７】
2008153031.tif 000009
【図８】
2008153031.tif 000010
【図９】
2008153031.tif 000011
【図１０】
2008153031.tif 000012
【図１１】
2008153031.tif 000013
【図１２】
2008153031.tif 000014
【図１３】
2008153031.tif 000015
【図１４】
2008153031.tif 000016
【図１５】
2008153031.tif 000017
【図１６】
2008153031.tif 000018
【図１７】
2008153031.tif 000019
【図１８】
2008153031.tif 000020
【図１９】
2008153031.tif 000021